(57)【要約】【課題】  引出し式光学ディスク収納ケースを提供する。【解決手段】  引出箱の底の一部に穴や切り欠きを設けることにより、そこに指を入れ指の腹でディスクを挟み、取り上げて出し入れすることを可能とした引出し式の光学ディスク収納ケース【選択図】  図１
2005200096.tif 000002
【特許請求の範囲】
【請求項１】
引出し式の光学ディスクの収納ケースにおいて、引出箱の底の一部に穴や切り欠きを設けることにより、ディスクを出し入れすることを可能とした引出し式の光ディスク収納ケース
【発明の詳細な説明】
【技術分野】
【０００１】  本発明は、光学ディスクの収納ケースに関するものである。
【背景技術】
【０００２】  従来、ＣＤ、ＤＶＤ等の光学ディスクの収納は、一個毎片開き式の蓋を持つケースに入れ、多段式のラックに収納していた。
【発明の開示】
【発明が解決しようとする課題】
【０００３】  そのために次のような問題点があった。
▲１▼ディスクの出し入れは、（１）個別のケースをラックから出し入れする、（２）ディスクを個別ケースから出し入れするという二つの課程が必要であった。
▲２▼個別ケースからディスクを取り出す時、片開き式のケースを開けるスペースが別途必要であった。
▲３▼また、ケースを開けてディスクを取り出す時、両手で行う必要があった。
など不便であった。
本発明は、以上の問題点を解決するためになされたものである。
【課題を解決するための手段】
【０００４】  引出し式の光学ディスクの収納ケースにおいて、引出箱からディスクを挟み上げるため、底の一部に指を入れる穴や切り欠きを設けディスクを指で挟み上げて取り出すことを可能とした引出し式の光学ディスク収納ケース
【発明の効果】
【０００５】  ▲１▼引出箱から、直接ディスクの出し入れをするので出し入れの動作が簡単になる。
▲２▼収納ケース本体と引出箱を引き出すだけのスペースでディスクの出し入れができる。
▲３▼片手でディスクの出し入れができる。
【発明を実施するための最良の形態】
【０００６】  以下、本発明の実施の形態について説明する。
（図２）において、引出し式光学ディスクの収納ケースの外箱（１）は、引出箱（２０）を出し入れする正面（２）、上面（３）、下面（４）、側面Ａ（５Ａ）、側面Ｂ（５Ｂ）、裏蓋（６）で構成される直方体で、正面（２）の引出箱（２０）を出し入れする個所を除き全面を塵の侵入防止のため覆われており、全ての引出箱（２０）を押し込むことにより塵はどの個所からも侵入することができなくなっている。外箱（１）の収納するディスクの数は収納段数により決められるが、一個から必要に応じて任意のものが製作できる。収納個数の少ない物は一体型の射出成型構造が可能で、収納数が多い大型のものは各構成部品を組み合わせて製作してもよい。【０００７】  外箱（１）の側面Ａ（５Ａ）、側面Ｂ（５Ｂ）の内側には、箱受レール（７）が設けられている。箱受レール（７）は、引出箱（２０）を正面（２）から裏蓋（６）方向に出し入れする際のガイド機能をもっており、また、箱受レール（７）には、引出箱（２０）を必要以上に引き抜くことのないように、ストッパ面Ａ（８Ａ）があり、引出箱（２０）のフック（２８）がこのストッパ面Ａ（８Ａ）にかかり抜け止めとなる。このストッパ機能を解除するには、着脱式の裏蓋（６）をとり、裏面のフック解除穴（２９）からフック（２８）を解除しておこなう。引出箱（２０）を外箱（１）に押し込む際は、引出箱（２０）の正面の内側両端にある押込ストッパ面Ａ（９Ａ）と外箱（１）の押込ストッパ面Ｂ（９Ｂ）が当たる位置まで押し込む。
外箱（１）が一体型の射出成型構造、あるいは大型で強度が必要な時は、左右の箱受レール（７）を連結する補強板（１０）を何段か設けて外箱（１）の補強をおこなってもよい。その際、抜け防止のフック（２８）、ストッパ面Ｂ（８Ｂ）は、中央に一個でよい。
引出箱（２０）の外箱（１）からの出し入れは、（図１）における取手（２７）を指ではさんで行う。【０００８】  外箱（１）の下面（４）には、外箱（１）が滑って動かないように、ゴム等摩擦係数の大きい材料でできた足（１１）が付いている。また、この足（１１）は最下段の引出箱（２０）を引き出してディスクの出し入れをする際、指を中央穴（２５）、穴Ａ（２５Ａ）、穴Ｂ（２５Ｂ）に入れる空間を確保する機能も合わせ持つ。【０００９】  （図３）は、引出箱（２０）の斜視図、（図４）はＡＡ断面図、（図５）はＢＢ断面図である。引出箱（２０）は、幅はディスクの直径、奥行はディスクの直径と引出箱（２０）を引き出した際、外箱（１）の中に残る分を確保した長さによって決められる。引出箱（２０）内の光学ディスク（３２）は、側壁Ａ（２１Ａ）、側壁Ｂ（２１Ｂ）、内壁Ａ（２２Ａ）、内壁Ｂ（２２Ｂ）により囲まれる凹部に収納される。内壁Ａ（２２Ａ）は、ディスクの奥部分の外周に沿った垂直の壁で、ディスクの浮き上がり防止のため浮止（２３）が付いている。また、内壁Ａ（２２Ａ）は、外周に接する直線状の壁でもよい。内壁Ｂ（２２Ｂ）は、ディスクの手前部分の外周に接する直線の壁で壁の上部にディスクが出し入れしやすいように面取りをしている。【０００１０】  引出箱（２０）のディスクが載る部分の底面Ｄ（２４Ｄ）にはディスクの内径より大きい中央穴（２５）、ディスクが載らない部分の底、底面Ａ（２４Ａ）、底面Ｂ（２４Ｂ）には、指を挿入するに十分な大きさの穴Ａ（２５Ａ）、穴Ｂ（２５Ｂ）を設ける。
（図４）は、中央穴（２５）に人差し指あるいは中指、穴Ａ（２５Ａ）、穴Ｂ（２５Ｂ）に親指を入れ引出箱（２０）から光学ディスク（３２）を指で挟み上げ出し入れする様子を示す。
底面Ｄ（２４Ｄ）には、ディスクの記録をしていない外縁部に接する部分に底面Ｄ（２４Ｄ）より盛り上がった隆起部（２６）がありディスクの記録面と底面Ｄ（２４Ｄ）の間にクリアランスを設け記録面に傷がつくことを防ぐ。
引出箱（２０）のディスクが載らない部分の底面Ａ（２４Ａ）、底面Ｂ（２４Ｂ）、底面Ｃ（２４Ｃ）は、引出箱（２０）が箱受レール（７）に入る範囲内でどの高さにあってもよい。例えば（図１）は、底面Ｃ（２４Ｃ）を側壁Ａ（２１Ａ）、側壁Ｂ（２１Ｂ）の上辺と同一高さにして引出箱（２０）の奥の底面Ｃ（２４Ｃ）に塵がたまらないようにしている。（図６）は、底面Ａ（２４Ａ）、底面Ｂ（２４Ｂ）、底面Ｃ（２４Ｃ）を、側壁Ａ（２１Ａ）、側壁Ｂ（２１Ｂ）の上辺と同一高さにしたものである。【０００１１】（図７）、（図８）は、側壁Ａ（２１Ａ）、側壁Ｂ（２１Ｂ）の一部を切り欠いて切欠きＡ（３０Ａ）、切欠きＢ（３０Ｂ）を設け、その切欠き部分と中央穴（２５）に指を入れディスクの外縁部を挟み上げる様子を示す。
また、中央穴（２５）と同心上に凹部（３１）と穴Ｃ（２５Ｃ）を設け小型のディスクも収納できるようにしたものである。小型ディスクは、中央穴（２５）と穴Ｃ（２５Ｃ）に指を入れディスクを挟み上げる。【０００１２】  （図９）は、収納ケースを縦型においた時の斜視図である。（図１２）において、縦型に収納した光学ディスク（３２）が引出箱Ｃ（２０Ｃ）から脱落しないようにディスク受（４０）で荷重をうけ隆起部（２６）とディスクバサミ（４１）で左右の傾きを防ぐ。ディスク受（４０）は、底面Ｄ（２４Ｄ）からの垂直な壁が光学ディスク（３２）の外周部の下側半分と接する半円の円弧状の受けとなっている。
ディスクバサミ（４１）は、引出箱Ｃ（２０Ｃ）と一体成型された板バネで、底面Ｄ（２４Ｄ）に突出する隆起部（２６）とのクリアランスは、光学ディスク（３２）の厚さと同じもしくは小さくして光学ディスク（３２）を挟んで保持する。【０００１３】  （図９）おいて、穴Ｄ（２５Ｄ）に親指を、中央長穴（２５Ｅ）には人差し指もしくは中指で光学ディスク（３２）を挟んで出し入れし、（図１０）では、切欠きＣ（３０Ｃ）に親指を、中央長穴（２５Ｅ）には人差し指もしくは中指で挟んで出し入れする。
（図１１）は、光学ディスク（３２）の出し入れの状態を示す。
収納する時は、
▲１▼の動作で指に挟んだ光学ディスク（３２）を隆起部（２６）に沿わせる。
▲２▼で隆起部（２６）に沿って光学ディスク（３２）を下げディスクバサミ（４１）に挟む。
という動作をおこなう。取り出す時は、その逆となる。▲２▼の動作をするため中央長穴（２５Ｅ）は、長穴となっている。
【実施例】
【０００１４】  ケースの収納数は、一列あたりの収納箱数と列数により単数から任意の数が可能である。
縦型ケースである引出箱Ｃ（２０Ｃ）、引出箱Ｄ（２０Ｄ）において、ディスク受（４０）、隆起部（２６）、ディスクバサミ（４１）がある反対の面にもディスク受（４０）、隆起部（２６）、ディスクバサミ（４１）を設けることにより光学ディスク（３２）の収納数を倍増することができる。
収納数の少ない軽量のケースは両面テープ、接着剤、ネジ、釘等で、縦型ケースの場合は、例えばパソコンの本体や、ブックエンド等の垂直な壁に固定したり、横型ケースの場合は、例えば、本棚等水平な棚の下面に吊り下げてもよい。
【図面の簡単な説明】
【０００１５】
【図１】本発明の斜視図
【図２】本発明の外箱図
【図３】本発明の引出箱の斜視図
【図４】本発明の引出箱のＡ−Ａ方向の断面図
【図５】本発明の引出箱のＢ−Ｂ方向の断面図
【図６】本発明の引出箱Ａの斜視図
【図７】本発明の引出箱Ｂの斜視図
【図８】本発明の引出箱ＢのＣ−Ｃ方向の断面図
【図９】本発明の縦型ケースの斜視図
【図１０】本発明の縦型ケースの引出箱Ｄの斜視図
【図１１】本発明の縦型ケースの引出箱ＣのＤ−Ｄ方向の断面図
【図１２】本発明の縦型ケースの引出箱ＣのＥ−Ｅ方向の断面図
【符号の説明】
【０００１６】１      外箱
２      正面
３      上面
４      下面
５Ａ    側面Ａ
５Ｂ    側面Ｂ
６      裏蓋
７      箱受レール
８Ａ    ストッパ面Ａ
８Ｂ    ストッパ面Ｂ
９Ａ    押込ストッパ面Ａ
９Ｂ    押込ストッパ面Ｂ
１０    補強板
１１    足
２０    引出箱
２０Ａ  引出箱Ａ
２０Ｂ  引出箱Ｂ
２０Ｃ  引出箱Ｃ
２０Ｄ  引出箱Ｄ
２１Ａ  側壁Ａ
２１Ｂ  側壁Ｂ
２２Ａ  内壁Ａ
２２Ｂ  内壁Ｂ
２３    浮止
２４Ａ  底面Ａ
２４Ｂ  底面Ｂ
２４Ｃ  底面Ｃ
２４Ｄ  底面Ｄ
２５    中央穴
２５Ａ  穴Ａ
２５Ｂ  穴Ｂ
２５Ｃ  穴Ｃ
２５Ｄ  穴Ｄ
２５Ｅ  中央長穴
２６    隆起部
２７    取手
２８    フック
２９    フック解除穴
３０Ａ  切欠きＡ
３０Ｂ  切欠きＢ
３０Ｃ  切欠きＣ
３１    凹部
３２    光学ディスク
４０    ディスク受
４１    ディスクバサミ
【図１】
2005200096.tif 000003
【図２】
2005200096.tif 000004
【図３】
2005200096.tif 000005
【図４】
2005200096.tif 000006
【図５】
2005200096.tif 000007
【図６】
2005200096.tif 000008
【図７】
2005200096.tif 000009
【図８】
2005200096.tif 000010
【図９】
2005200096.tif 000011
【図１０】
2005200096.tif 000012
【図１１】
2005200096.tif 000013
【図１２】
2005200096.tif 000014